(57)【要約】【課題】  少なくともカードを外部から見えるようした状態で、カードとカードパックとを対応づけて収納することができるカード等収納ケースを提供する。【解決手段】基板５，７に対して枠体１３及び１５を設ける。枠体１３及び１５には、カードゲーム等に用いる１枚以上のカードを収納するカード収納部１９と複数枚のカードが封入されたカードパックまたは複数枚のカードが収納されていないカードパックが収納されるカードパックを収納するカードパック収納部２１とを隣接して設ける。枠体１３及び１５に対して、透明な一体成形の蓋部材３１及び３３を嵌める。カード収納部１９に収納するカードＣとカードパック収納部２１に収納するカードパックＰとは、所定の関係を有している。【選択図】図１
0003109619.tif 000002
【実用新案登録請求の範囲】
【請求項１】
カードゲームに用いる１枚以上のカードを収納する１以上のカード収納部及びカードが封入されたカードパックが収納される１以上のカードパック収納部を有する枠体と、
前記カード及び前記カードパックが前記カード収納部及び前記カードパック収納部から出ないように前記枠体に対して装着される蓋部材とを具備し、
前記カード収納部がカード挿入用開口部及び該カード挿入用開口部に連続して形成されて前記１枚以上のカードが収納されるカード収納室を備え、
前記カードパック収納部がカードパック挿入用開口部及び該カードパック挿入用開口部に連続して形成されて前記カードパックが収納されるカードパック収納室を備え、
前記蓋部材が、少なくとも前記カード収納室に収納された前記カードが外部から見えるように前記カード挿入用開口部及び前記カードパック挿入用開口部を塞ぐ構造を有していることを特徴とするカード等収納ケース。
【請求項２】
前記蓋部材は、前記カード収納室に収納された前記カード及び前記カードパック収納室に収納された前記カードパックが外部から見える構造を有している請求項１に記載のカード等収納ケース。
【請求項３】
前記１以上のカード収納室と前記１以上のカードパック収納室とは、一対一の関係で対応している請求項１に記載のカード等収納ケース。
【請求項４】
請求項１乃至３のいずれか１項に記載のカード等収納ケースを用いたカード商品セットであって、
前記１以上のカード収納部に前記１枚以上のカードが収納されており、
前記１以上のカードパック収納部に前記１以上のカードパックが収納されているカード商品セット。
【請求項５】
基板と、
基板に対して設けられてカードゲーム等に用いる１枚以上のカードを収納するカード収納部と、前記カード収納部に隣接して複数枚のカードが封入されたカードパックが収納されるカードパック収納部とを有する枠体と、
前記カード及び前記カードパックが前記カード収納部及び前記カードパック収納部から出ないように前記枠体に対して装着される蓋部材とを具備し、
前記カード収納部が、前記基板と対向する位置にカード挿入用開口部と該カード挿入用開口部に連続して形成されて前記１枚以上のカードが収納されるカード収納室とを有し、
前記カードパック収納部が、前記基板と対向する位置にカードパック挿入用開口部と該カードパック挿入用開口部に連続して形成されて前記カードパックが収納されるカードパック収納室を有するカード等収納ケースを用いたカード商品セットであって、
前記蓋部材が、少なくとも前記カード収納室に収納された前記カードが外部から見えるように前記カード挿入用開口部及び前記カードパック挿入用開口部を塞ぐ構造を有しており、
前記１以上のカード収納部に前記１枚以上のカードが収納されており、
前記１以上のカードパック収納部に前記１以上のカードパックが収納されているカード商品セット。
【請求項６】
２枚の基板と、
前記２枚の基板を横に並んだ並列状態と互いに間隔をあけて対向する対向状態とにすることを許容するように前記２枚の基板を連結する基板連結機構と、
前記２枚の基板に対してそれぞれ設けられ、カードゲーム等に用いる１枚以上のカードを収納するカード収納部と前記カード収納部に隣接して複数枚のカードが封入されたカードパックが収納されるカードパック収納部とを備えた２つの枠体と、
前記カード及び前記カードパックが前記カード収納部及び前記カードパック収納部から出ないように前記２つの枠体に対して装着される２つの蓋部材とを具備し、
前記カード収納部が、前記基板と対向する位置にカード挿入用開口部と該カード挿入用開口部に連続して形成されて前記１枚以上のカードが収納されるカード収納室とを有し、
前記カードパック収納部が、前記基板と対向する位置にカードパック挿入用開口部と該カードパック挿入用開口部に連続して形成されて前記カードパック収納されるカードパック収納室とを有するカード等収納ケースを用いたカード商品セットであって、
前記蓋部材が、少なくとも前記カード収納室に収納された前記カードが外部から見えるように前記カード挿入用開口部及び前記カードパック挿入用開口部を塞ぐ構造を有しており、
前記１以上のカード収納部に前記１枚以上のカードが収納されており、
前記１以上のカードパック収納部に前記１以上のカードパックが収納されているカード商品セット。
【請求項７】
前記カード収納部に収納された前記カードは、前記カードゲームに用いることが可能な複数枚のカードの中で存在率が最も低いグループに属するカードであることを特徴とする請求項４，５または６に記載のカード商品セット。
【請求項８】
前記カード収納部に収納された前記カードは、前記カードパック収納部に収納された前記カードパック内の前記複数枚のカードが属する種類と同じ種類に属するものであることを特徴とする請求項４，５または６に記載のカード商品セット。
【請求項９】
前記カード収納部に収納された前記カードは、前記カードパック収納部に収納された前記カードパック内の前記複数枚のカードが属する種類に分類される多数枚のカードの中で存在率が最も低いグループに属するカードであることを特徴とする請求項４，５または６に記載のカード商品セット。
【考案の詳細な説明】
【技術分野】
【０００１】
本考案は、カードゲーム等で使用されるカードとカードパックとを一緒に収納できるカード等収納ケース及び該カード等収納ケースを用いたカード商品セットに関するものである。
【背景技術】
【０００２】
特開２００１−２７０５８４号公報［特許文献１］には、複数のカード収納ポケットを備えた透明なカード収納シートを複数枚重ねて綴じて本の形態にしたカード収納ケースが示されている。
【０００３】
また実用新案登録第３０９９８６２号公報［特許文献２］には、複数枚のカードを収納する複数のカード収納室を備えた枠体が基板上に取り付けられたカード収納ケースが示されている。
【０００４】
特開２００１−８０２３９号公報［特許文献３］には、複数枚のカードが袋に収納されてなる複数のカードパックを収納する複数のカードパック収納室を備えたカードパック収納ケースとこのカードパック収納ケースを用いたカード商品セットが示されている。
【０００５】
さらに特開２００２−２８４５号公報［特許文献４］には、複数のカードパックを重ねて収納し且つ外側から見えるようにしたトレーディングカード用収納体が示されている。
【特許文献１】特開２００１−２７０５８４号公報  図１
【特許文献２】実用新案登録第３０９９８６２号公報  図１及び図２
【特許文献３】特開２００１−８０２３９号公報  図２及び図３
【特許文献４】特開２００２−２８４５号公報  図１
【考案の開示】
【考案が解決しようとする課題】
【０００６】
従来提案されているカード等収納ケースは、カードを整理する目的のためにカードを一枚ずつ収納するカード収納タイプか、カードパックを傷つけないようにして販売する目的や販売店におけるカードパックの盗難防止の目的のために、カードパックを収納するパック収納タイプのいずれかであった。そのため従来は、カード及びカードパックをそれぞれ別個の収納ケースに収納するしかなかった。そのため収集または整理してあるカードとカードパックとの対応関係が判らなくなる問題があった。
【０００７】
また従来のカード等収納ケースにカードまたはカードパックを収納して構成したカード商品セットでは、商品の内容をある程度知った上で商品を購入したいという購買者の希望を叶えることができず、また購買者の購買意欲を高めることができなかった。
【０００８】
本考案の目的は、少なくともカードを外部から見えるようした状態で、カードとカードパックとを対応づけて収納することができるカード等収納ケースを提供することにある。
【０００９】
本考案の他の目的は、カード及びカードパックを外部から見えるようした状態で、それぞれ対応づけて収納することができるカード等収納ケースを提供することにある。
【００１０】
本考案の他の目的は、購買者に商品の内容の一部を見せることにより、購買者の購入意欲を高めることができるカード商品セットを提供することにある。
【００１１】
本考案の別の目的は、カードとカードパックの両方を収納状態で見ることができるカード等収納ケース及びカード商品セットを提供することにある。
【課題を解決するための手段】
【００１２】
本考案のカード等収納ケースは、カードゲームに用いる１枚以上のカードを収納する１以上のカード収納部及び複数枚のカードが封入されたカードパックが収納される１以上のカードパック収納部を有する枠体と、カード及びカードパックがカード収納部及びカードパック収納部から出ないように枠体に対して装着される蓋部材とを具備している。カード収納部は、カード挿入用開口部及び該カード挿入用開口部に連続して形成されて１枚以上のカードが収納されるカード収納室を備えている。またカードパック収納部は、カードパック挿入用開口部及び該カードパック挿入用開口部に連続して形成されてカードパックが収納されるカードパック収納室を備えている。そして蓋部材は、少なくともカード収納室に収納されたカードが外部から見えるようにカード挿入用開口部及びカードパック挿入用開口部を塞ぐ構造を有している。
【００１３】
このように枠体にカード収納部とカードカードパック収納部とを隣接して設けると、カード収納部に収納するカードとカードパック収納部に収納するカードパックとを対応付けて一緒に収納することができる。また蓋部材を設けてカード及びカードパックの飛び出しを防止しても、蓋部材を通して少なくともカードを外部から見ることができるので、カード及びカードパックの整理及び管理が容易になる上、好きなカードを飾るためのカードスタンドとしてもカード等収納ケースを利用できる利点が得られる。
【００１４】
なお１以上のカード収納室と１以上のカードパック収納室とは、一対一の関係で対応しているのが好ましい。このようにすると、カードとカードパックとの関係を一目瞭然で把握することができるので、管理が容易になる。またこのカード等収納ケースをカード商品セットに利用した場合には、購買者がカードとカードパックとの関係を容易に把握することができ、購買者の購買意欲を高めることができるという利点が得られる。
【００１５】
持ち運びを考慮して、次のようにカード等収納ケースを構成してもよい。すなわち２枚の基板と、２枚の基板を横に並んだ並列状態と互いに間隔をあけて対向する対向状態とにすることを許容するように２枚の基板を連結する基板連結機構と、２枚の基板に対してそれぞれ設けられ、カードゲーム等に用いる１枚以上のカードを収納するカード収納部を備えた２つの枠体とを備えた構造とする。この場合のカード収納部の構造は、前記と同様である。また枠体には、カード収納部に隣接して複数枚のカードが封入されたカードパックが収納されるカードパック収納部を設ける。このカードパック収納部の構造も前記と同様である。このよう２つの基板を基板連結機構により連結して２枚の基板を対向状態できるようにすると、バインダまたはブック状にカード等収納ケースを構成することができる。
【００１６】
本発明のカード等収納ケースの１以上のカード収納部に１枚以上のカードを収納し、１以上のカードパック収納部に１以上のカードパックを収納したカード商品セットでは、カードとカードゲームまたはカードパックとの関係を次のようにするのが好ましい。例えば、カード収納部に封入されたカードを、カードゲームに用いることが可能な複数枚のカードの中で存在率が最も低いグループに属するカードにする。存在率が最も低いグループに属するカードは、ある意味で貴重なカードまたは重要なカードになる。言い換えると、そのようなカードは購買者にとって、最も関心の高いカードである。そのため購買者の注目を集めやすく、また購買者の購買意欲も高くなる利点が得られる。
【００１７】
またカード収納部に収納されたカードを、対応するカードパック収納部に収納されたカードパック内の複数枚のカードが属する種類と同じ種類に属するものにしてもよい。このようにするとカードパックに封入されているカードの内容（種類）を一部知ることができるので、購買者の期待を裏切ることがなく、しかも購買者の購買意欲も高くなる利点が得られる。この場合でも、カード収納部に封入されたカードを、カードパック収納部に収納されたカードパック内の複数枚のカードが属する種類に分類される多数枚のカードの中で存在率が最も低いグループに属するカードであれば、さらに購買者の注目を集めやすくなり、また購買者の購買意欲を高めることができる。
【考案の効果】
【００１８】
本考案によれば、カード収納部に収納するカードとカードパック収納部に収納するカードパックとを対応付けて一緒に収納することができる利点が得られる。また蓋部材を設けてカード及びカードパックの飛び出しを防止しても、蓋部材を通して少なくともカードを外部から見ることができるので、カード及びカードパックの整理及び管理が容易になる上、好きなカードを飾るためのカードスタンドとしてもカード等収納ケースを利用できる利点が得られる。
【００１９】
また本発明のカード商品セットでは、購買者の注目を集めることができて、しかも購買者の購買意欲を高めることができる利点が得られる。
【考案を実施するための最良の形態】
【００２０】
以下図面を参照して本考案の実施の形態の一例を詳細に説明する。図１は、本考案をバインダまたはブック状のカード等収納ケース１に適用した一実施の形態を開いた状態にして分解した斜視図を示している。また図２はこのカード等収納ケース１を閉じた状態を示す斜視図である。更に図３は、このカード等収納ケース１を開いた状態にした正面図である。カード等収納ケース１のケース本体３は、２枚の基板５及び７と、２枚の基板５及び７が横に並んだ並列状態と互いに間隔をあけて対向する対向状態とにすることを許容するように２枚の基板５及び７を連結する基板連結機構９と、後に説明する基板分離阻止機構の一部を構成するベルト部材１１と、２つの枠体１３及び１５とから構成されている。本実施の形態では、２枚の基板５及び７と基板連結機構９とは、一体に構成されている。これらの部材は、いわゆるバインダまたはブックの表紙と同様の機構を有しており、基板連結機構９は、２本の折り目９Ａ及び９Ｂを介して２枚の基板５及び７と連結されている。
【００２１】
２つの枠体１３及び１５は、合成樹脂の一体成型品または紙基材の一体加工品により構成されている。なお２つの枠体１３及び１５の外表面を、手触り感と高級感を出すために、表面加工を施したり、多少毛足のある布状のシートで覆ったりしてもよいのは勿論である。枠体１３及び１５は、２枚の基板５及び７に対してそれぞれ接着剤を介して接合されている。枠体１３及び１５は、それぞれ１枚以上のカードを収納する３つのカード収納部１９と３つのカードパック収納部２１とを一体に有している。図３乃至図６に示すように、これらカード収納部１９及びカードパック収納部２１の底壁部１９Ｃ及び２１Ｃは、基板５及び７に接着剤で接合されている。カード収納部１９は、基板５または７と対向する位置にカード挿入用開口部１９Ａとこのカード挿入用開口部１９Ａに連続して形成されて１枚以上のカードＣが収納されるカード収納室１９Ｂとを有する。またカードパック収納部２１も、基板５または７と対向する位置にカードパック挿入用開口部２１Ａとこのカードパック挿入用開口部１９Ａに連続して形成されて１以上のカードパックＰが収納されるカード収納室２１Ｂとを有する。カードＣに比べて、カードパックＰの長さ及び幅寸法は長いため、カードパック収納部１９の各部の寸法は、カード収納部２１の各部の寸法よりも大きく設定されている。
【００２２】
枠体１３及び１５は、枠体周壁部１３Ａ及び１５Ａと天板壁部１３Ｂ及び１５Ｂとを備えている。枠体周壁部１３Ａ及び１５Ａは、その輪郭形状がほぼ矩形状を呈する構造を有している。そして枠体周壁部１３Ａ及び１５Ａは、枠体を間に挟んで対向する２組の一対の周壁構成部１３Ｃ及び１３Ｄ並びに１３Ｅ及び１３Ｆと１５Ｃ及び１５Ｄ並びに１５Ｅ及び１５Ｆとを備えている。そして図４〜図６に示すように、枠体周壁部１３Ａ及び１５Ａの縁部には、基板５及び７に接合される環状のフランジ部１３Ｇ及び１５Ｇが一体に設けられている。このフランジ部１３Ｇ及び１５Ｇも接着剤を用いて基板５及び７に接合されている。
【００２３】
枠体１３及び１５の一対の周壁構成部１３Ｅ及び１３Ｆ並びに１５Ｅ及び１５Ｆには、後述する被係合部の一部を構成し且つ後述する蓋部材  に設けた２つの係合用凸部と係合する２つの被係合用凹部２３及び２３並びに２５及び２５が形成されている。これら２つの被係合用凹部２３及び２３並びに２５及び２５の開口部は、細長い楕円形状または両端に円弧を有する細長い長方形形状を有している。
【００２４】
それぞれ図１に示した位置関係では、３つのカード収納部１９と３つのカードパック収納部２１とが、一対一の関係で上下に並ぶように設けられている。また図１に示された関係では、３つのカード収納部１９及び３つのカードパック収納部２１が、それぞれ横に直線状に列を構成している。なお図１に示した状態を９０度回転させて見る場合には、３つのカード収納部１９と３つのカードパック収納部２１とは、一対一の関係で左右に並ぶように設けられており、３つのカード収納部１９及び３つのカードパック収納部２１は、それぞれ縦に直線状に一列を構成することになる。
【００２５】
また本実施の形態では、カードＣの厚みが薄いため、カード収納部１９の深さが深くなると、カードＣをカード収納室１９Ｂから取り出し難くなる。そこでこの問題を解消するために、本実施の形態では、図５に示すようにカード収納部２１のカード収納室１９Ｂを囲む内壁部に、カード挿入用開口部１９Ａ及びカード収納室１９Ｂとそれぞれ連続して形成された指挿入用凹部２０を設けている。このような指挿入用凹部２０を設ければ、厚みの薄いカードを容易にカード収納室１９Ｂから取り出すことができる。
【００２６】
なお上記のように、カード収納室１９Ｂ及びカードパック収納室２１Ｂの深さは任意である。収納容量を増大させるためには、カード収納室１９Ｂの深さ寸法を複数枚のカードを収納可能な寸法とし、カードパック収納室２１Ｂの深さ寸法を複数組のカードパックが収納可能な寸法にしてもよい。
【００２７】
ベルト部材１１は、基板５に一端が連結され且つ基板７の裏面７ａ（枠体１５が設けられる面とは反対側の面）側まで延びる長さを有している。ベルト部材１１の他端には、永久磁石からなる結合部材２７が設けられている。また基板７の裏面７ａに近接した内部には、ベルト部材１１の結合部材２７と分離可能に結合する磁性体または永久磁石からなる被結合部材２９が埋設されている。本実施の形態では、結合部材２７と被結合部材２９とにより、永久磁石の磁力を結合力として結合する基板分離阻止機構が構成されている。
【００２８】
本実施の形態では、枠体１３及び１５に対して、合成樹脂により一体に成型された一体成型品の透明な蓋部材３１及び３３が嵌められる。なお蓋部材３１及び３３は半透明であってもよく、また一部が半透明または不透明でカード挿入用開口部１９Ａ及びカードパック挿入用開口部２１Ａと対向する一部が透明であってもよい。この蓋部材３１及び３３は、カード収納室１９Ｂに収納されたカードＣ及びカードパック収納室２１Ｂに収納されたカードパックＰが外部から見えるようにカード挿入用開口部１９Ａ及びカードパック挿入用開口部２１Ａを塞ぐ目的で設けられている。このような蓋部材３１及び３３を設けると、収納後にカードＣ及びカードパックＰを確認できる上、カード等収納ケース１をどのような姿勢にしたとしても、収納したカードＣ及びカードパックＰが枠体１３及び１５から飛び出すのを蓋部材３１及び３３によって阻止することができる。
【００２９】
蓋部材３１及び３３は、枠体１３及び１５に取り付けられた状態で、カード挿入用開口部１９Ａ及びカードパック挿入用開口部２１Ａと対向する対向壁部３１Ａ及び３３Ａと、この対向壁部３１Ａ及び３３Ａの周縁部と連続し且つ枠体１３及び１５の枠体周壁部１３Ａ及び１５Ａの外周面と対向する蓋部材周壁部３１Ｂ及び３３Ｂとを備えている。蓋部材３１及び３３のカード挿入用開口部１９Ａ及びカードパック挿入用開口部２１Ａと対向する複数の部分（窓部分）３２及び３４は、蓋部材３１及び３３が枠体１３及び１５に取り付けられた状態で、カード収納室１９Ｂまたはカードパック収納室内２１Ｂに嵌り込むように膨出した形状を有している。このような膨出形状を採用すると、カード等収納ケース１の搬送中に、蓋部材３１及び３３を下にした状態でカード等収納ケース１に振動が加わった場合でも、カード収納室１９Ｂに収納したカードＣ及びカードパック収納室２１Ｂに収納しカードパックＰが、蓋部材３１及び３３と枠体１３及び１５との間に形成される隙間に入り込むのを阻止することができる。したがってどのような姿勢でもカード等収納ケース１を搬送することができるようになる。
【００３０】
蓋部材３１及び３３は、枠体１３及び１５に対して取り外し可能に取り付けられる構造を有している。蓋部材３１及び３３を枠体１３及び１５に対して取り外し可能に取り付ける機構は、任意である。本実施の形態のように枠体１３及び１５の枠体周壁部１３Ａ及び１５Ａの輪郭形状がほぼ矩形状を呈しているので、蓋部材周壁部３１Ｂ及び３３Ｂは、枠体１３及び１５を間に挟んで対向する２組の一対の周壁構成部（３１Ｃ及び３１Ｄと３１Ｅ及び３１Ｆ；３３Ｃ及び３３Ｄと３３Ｅ及び３３Ｆ）によって構成されることになる。そして１組の一対の周壁構成部３１Ｅ及び３１Ｆ並びに３３Ｅ及び３３Ｆには、それぞれ係合部のを構成する２つの係合用凸部３５及び３７が一体に設けられている。１つの周壁構成部に対して、２つの係合用凸部（３５及び３５並びに３７及び３７）が蓋部材周壁部（３１Ｂ及び３３Ｂ）の周方向に距離をあけて設けられている。そしてこれらの係合用凸部３５及び３７は、図４及び図６に示すように蓋部材周壁部３１Ｂ及び３３Ｂから内側に向かって突出しており、それぞれ枠体１３及び１５に設けた被係合用凹部２３及び２５と嵌合する。２つの係合用凸部（３５及び３７）と２つの被係合用凹部（２３及び２５）が離れた位置で係合すると、蓋部材３１及び３３が大きくなった場合でも、またカードパックＰの重さが重くなった場合に、蓋部材３１及び３３を下にした状態でカード等収納ケース１を持ち歩いたとしても、蓋部材３３及び３３は簡単に外れることがない。また２つの係合用凸部３５及び３５並びに３７及び３７の間にある周壁構成部を指で掴んで枠体１３及び１５から蓋部材３１及び３３を引き離す作業をすることにより、比較的に容易に蓋部材３１及び３３を枠体１３及び１５から取り外すことができる。係合用凸部３５及び３７の外面の形状は、その外面が枠体周壁部１３Ａ及び１５Ａの外周面上をスライドしながら被係合用凹部２３及び２５内にスムーズに入り込むことを可能にする湾曲面を含むように構成されている。
【００３１】
また蓋部材３１及び３３は、蓋部材周壁部３１Ｂ及び３３Ｂと連続し且つ基板５及び７に沿って外側に延びるフランジ部３１Ｇ及び３３Ｇを一体に有している。このようなフランジ部３１Ｇ及び３３Ｇを設けると、蓋部材３１及び３３を枠体１３及び１５から取り外す際に、フランジ部３１Ｇ及び３３Ｇに指先の爪を引っかけることができる。そのため、蓋部材３１及び３３を枠体１３及び１５から取り外す際には、フランジ部３１Ｇ及び３３Ｇに爪を引っかけた状態で蓋部材３１及び３３を枠体から引き離すことができる。
【００３２】
本実施の形態では、前述の係合機構を採用することにより、係合部（３５，３７）と被係合部（２３，２５）との係合作業及び係合解除作業だけで、蓋部材３１及び３３を枠体１３及び１５に取り付けることができ、また蓋部材を枠体から取り外すことができる。特に本実施の形態では、係合部（３５，３７）と被係合部（２３、２５）とは、蓋部材３１及び３３を枠体１３及び１５と対向する位置から枠体１３及び１５に向かって近付けることにより、係合部（３５，３７）と被係合部（２３、２５）とが係合状態になる構造を有しているので、蓋部材３１及び３３を枠体１３及び１５に直線的に近づけるまたは蓋部材３１及び３３を枠体１３および１５から直線的に引き離すという作業により、蓋部材３１及び３３を枠体１３及び１５に装着し、また蓋部材３１及び３３を枠体１３及び１５から取り外すことができる。したがって蓋部材の枠体に対する取り付け作業が容易になる。
【００３３】
なお本実施の形態では、蓋部材３１及び３３を枠体１３及び１５から取り外す際に、係合部（３５，３７）と被係合部（２３、２５）との係合状態を蓋部材３１及び３３を変形させることにより解除することを可能にするために、蓋部材３１及び３３を可撓性を有する合成樹脂材料（例えばポリプロピレン等）により一体に成型している。
【００３４】
また本実施の形態のバインダまたはブック状のカード等収納ケース１では、蓋部材３１及び３３が枠体１３及び１５に取り付けられた状態で２枚の基板５及び７を対向状態にしたときに、２つの枠体１３及び１５に取り付けられた蓋部材３１及び３３の対向壁部３１Ａ及び３３Ａどうしが接触し且つ２枚の基板５及び７がほぼ並行に並ぶように、連結機構部９を構成してある。したがって図２に示すように、バインダまたはブック状にカード等収納ケースを閉じた状態にして保存する際に、厚み方向からカード等収納ケース１に外力が加わったとしても、外力は接触した２つの蓋部材３１及び３３と２つの枠体１３及び１５にも分散することになり、連結機構部９に加わる外力は小さくなる。その結果、連結機構部９が破損しにくくなっている。
【００３５】
なお図１においては、カード収納部１９及びカードパック収納部２１のすべてにカードＣ及びカードパックＰが収納されていない。しかしこのカード等収納ケース１をカード商品の販売のためのカード商品セット（カード等収納ケースにカードとカードパックとが付いた状態で販売される商品）に使用する場合には、すべてのカード収納部１９及びカードパック収納部２１にカードＣとカードパックＰを収納してもよいのは勿論である。またその場合に、カード収納部１９及びカードパック収納部２１に、それぞれ複数枚のカードＣと複数のカードパックＰを収納してもよい。
【００３６】
カード商品セットの一部としてカード等収納ケースを利用する場合には、カード収納部１９に収納するカードとカードパック収納部２１に収納するカードパックとの間には、何らかの関係を持たせるのが好ましい。例えば、カード収納部１９に収納されたカードＣを、カードゲームに用いることが可能な複数枚のカードの中で存在率が最も低いグループに属するカードにする。ここで存在率が最も低いグループとは、カードゲームに使用可能な複数枚のカードが、それぞれ複数種類のグループに分けられる場合に、最も枚数が少ないカードによって構成されるグループのことである。存在率が最も低いグループに属するカードは、ある意味で貴重なカードまたは重要なカードになる。言い換えると、そのようなカードは購買者にとって、最も関心の高いカードである。外部から見えるカードとしてこのようなカードを選択すると、購買者の注目を集めやすく、また購買者の購買意欲を高めることができる。
【００３７】
またカード収納部１９に収納されるカードＣを、カードパック収納部２１に収納されたカードパック内の複数枚のカードが属する種類と同じ種類に属するものにしてもよい。このようにするとカードパックに収納されているカードの内容（種類）を一部知ることができるので、購買者の期待を裏切ることがなく、しかも購買者の購買意欲も高くなる利点が得られる。またこの場合でも、カード収納部１９に収納されたカードを、カードパック収納部２１に収納されたカードパックＰ内の複数枚のカードが属する種類に分類される多数枚のカードの中で存在率が最も低いまたは低いグループに属するカードであれば、前述と同様に購買者の注目を集めやすくなり、また購買者の購買意欲を高めることができる。
【００３８】
上記実施の形態では、ベルト部材１１を設けているが、図８に示すように、ベルト部材を設けなくてもよいのは勿論である。この場合には、リング状のゴムベルト等を用いて、閉じた基板５及び７が離れないようにしてもよい。また２つの枠体１３及び１５にそれぞれ互いに引き合う関係の永久磁石を内蔵させ、これらの永久磁石の磁気吸引力により枠体１３及び１５が離れないようにしてもよい。
【００３９】
また図９に示すように、カード収納部１１９とカードパック収納部１２１とを交互に配置するようにしてもよい。この場合には、カード収納部１１９及びカードパック収納部１２１と対向する蓋部材１３１及び１３３の部分（窓部分）１３２及び１３４の形状もそれぞれ交互に異なる形状となる。なお図９には、図１に示した実施の形態と同様の部分に、図１に示した実施の形態に付した部号の数に１００の数を加えた数の符号を付して説明を省略する。
【００４０】
また図１０に示すように、１つの枠体２１３及び２１５に設けるカード収納部２１９及びカードパック収納部２２１の数を異ならせてもよい。なお図１０には、図１に示した実施の形態と同様の部分に、図１に示した実施の形態に付した部号の数に２００の数を加えた数の符号を付して説明を省略する。
【００４１】
さらに図１１に示すように、ブックタイプに構成する場合には、一方の基板３０５にのみ枠体３１３を取り付けるようにしても良いのは勿論である。なお図１１には、図１に示した実施の形態と同様の部分に、図１に示した実施の形態に付した部号の数に３００の数を加えた数の符号を付して説明を省略する。
【００４２】
また図１２に示すように、一枚の基板４０５上に１つの枠体４１３と蓋部材４３１を設けるユニットタイプのカード等収納ケースにも本考案を適用することができる。このようなユニットタイプのカード等収納ケースでは、本を開く動作をすることなく、収納されているカード及びカードパックを蓋部材４３１の外部から見ることができる。したがって多くのカード商品セットの中から所望のカード商品セットを選択する場合に、短い時間で購買者は所望のカード商品セットを見つけることができる。またこの場合においても、図１３に示すように、カード収納部５１９とカードパック収納部５２１を交互に配置してもよく、図１４及び図１５に示すように、カード収納部６１９及び７１９並びにカードパック収納部６２１及び７２１の数を異ならせてもよい。なお図１１乃至図１５においても、図１に示した実施の形態と同様の部分には、図１に示した実施の形態に付した部号の数に４００，５００，６００または７００の数を加えた数の符号を付して説明を省略する。
【図面の簡単な説明】
【００４３】
【図１】本考案をバインダまたはブック状のカード等収納ケースに適用した一実施の形態を開いた状態にして分解した斜視図である。
【図２】図１のカード等収納ケースを閉じた状態を示す斜視図である。
【図３】図１のカード等収納ケースを開いた状態にした正面図である。
【図４】図３のＡ−Ａ線断面図である。
【図５】図３のＢ−Ｂ線断面図である。
【図６】図３のＣ−Ｃ線拡大端面図である。
【図７】図３のＤ−Ｄ線拡大端面図である。
【図８】本考案のカード等収納ケースの他の実施の形態の構成を示す分解斜視図である。
【図９】本考案のカード等収納ケースの他の実施の形態の構成を示す分解斜視図である。
【図１０】本考案のカード等収納ケースの他の実施の形態の構成を示す分解斜視図である。
【図１１】本考案のカード等収納ケースの他の実施の形態の構成を示す分解斜視図である。
【図１２】本考案のカード等収納ケースの他の実施の形態の構成を示す分解斜視図である。
【図１３】本考案のカード等収納ケースの他の実施の形態の構成を示す分解斜視図である。
【図１４】本考案のカード等収納ケースの他の実施の形態の構成を示す分解斜視図である。
【図１５】本考案のカード等収納ケースの他の実施の形態の構成を示す分解斜視図である。
【符号の説明】
【００４４】
１  カード等収納ケース
３  ケース本体
５，７  基板
９  基板連結機構
１１  ベルト部材
１３，１５  枠体
１９  カード収納部
２１  カードパック収納部
２３，２５  被係合用凹部（被係合部）
３１，３３  蓋部材
３５，３７  係合用凸部（係合部）
【図１】
0003109619.tif 000003
【図２】
0003109619.tif 000004
【図３】
0003109619.tif 000005
【図４】
0003109619.tif 000006
【図５】
0003109619.tif 000007
【図６】
0003109619.tif 000008
【図７】
0003109619.tif 000009
【図８】
0003109619.tif 000010
【図９】
0003109619.tif 000011
【図１０】
0003109619.tif 000012
【図１１】
0003109619.tif 000013
【図１２】
0003109619.tif 000014
【図１３】
0003109619.tif 000015
【図１４】
0003109619.tif 000016
【図１５】
0003109619.tif 000017